(57)【要約】【課題】薄型化された磁気回路であっても有効な再生出力を確保できること。【解決手段】ボイスコイルが配置される磁気ギャップ２０Ｇを形成する磁気回路２０であって、磁気ギャップ２０Ｇの内側に配置される内磁石２１と、磁気ギャップ２０Ｇの外側に配置され、内磁石２１とは着磁方向が逆になる外磁石２２とを備え、外磁石２２は、矩形に対して部分的な切り欠き部を備える外形を有する。【選択図】図４
2008148218.tif 000002
【特許請求の範囲】
【請求項１】
ボイスコイルが配置される磁気ギャップを備え、
前記磁気ギャップの内側に配置される内磁石と、前記磁気ギャップの外側に配置され、前記内磁石とは着磁方向が逆になる外磁石と、を備え、
前記外磁石は矩形又は長円の外形を有することを特徴とするスピーカ用磁気回路。
【請求項２】
ボイスコイルが配置される磁気ギャップを備え、
前記磁気ギャップの内側に配置される内磁石と、前記磁気ギャップの外側に配置され、前記内磁石とは着磁方向が逆になる外磁石と、を備え、
前記外磁石の外形は対向する直線部と対向する曲線部とで囲まれた形状であることを特徴とするスピーカ用磁気回路。
【請求項３】
ボイスコイルが配置される磁気ギャップを備え、
前記磁気ギャップの内側に配置される内磁石と、前記磁気ギャップの外側に配置され、前記内磁石とは着磁方向が逆になる外磁石と、を備え、
前記外磁石は、矩形又は長円に対して部分的な切り欠き部を備える外形を有することを特徴とするスピーカ用磁気回路。
【請求項４】
ボイスコイルが配置される磁気ギャップを備え、
前記磁気ギャップの内側に配置される内磁石と、前記磁気ギャップの外側に配置され、前記内磁石とは着磁方向が逆になる外磁石と、を備え、
前記外磁石の外形は対向する直線部と対向する曲線部とで囲まれた形状であり、該外形に対して部分的な切り欠き部を備えることを特徴とするスピーカ用磁気回路。
【請求項５】
前記内磁石の外形は、対向する直線部と対向する曲線部とで囲まれた形状であり、前記外磁石は、前記曲線部に対向する部分を前記切り欠き部としたことを特徴とする請求項３又は４に記載のスピーカ用磁気回路。
【請求項６】
前記内磁石の外形は、対向する直線部と対向する曲線部とで囲まれた形状であり、前記外磁石は、前記直線部に対向する部分を前記切り欠き部としたことを特徴とする請求項３又は４に記載のスピーカ用磁気回路。
【請求項７】
磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、
前記磁気回路は、前記磁気ギャップの内側に配置される内磁石と、前記磁気ギャップの外側に配置され、前記内磁石とは着磁方向が逆になる外磁石と、を備え、前記外磁石及び前記フレームは、矩形又は長円の外形を有することを特徴とするスピーカ。
【請求項８】
磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、
前記磁気回路は、前記磁気ギャップの内側に配置される内磁石と、前記磁気ギャップの外側に配置され、前記内磁石とは着磁方向が逆になる外磁石と、を備え、前記外磁石及び前記フレームの外形は、対向する直線部と対向する曲線部とで囲まれた形状であることを特徴とするスピーカ。
【請求項９】
磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、
前記磁気回路は、前記磁気ギャップの内側に配置される内磁石と、前記磁気ギャップの外側に配置され、前記内磁石とは着磁方向が逆になる外磁石と、を備え、前記外磁石は、矩形又は長円に対して部分的な切り欠き部を備える外形を有し、
前記フレームは、矩形の外形を有し、前記切り欠き部に対応する部分に通気孔を設けたことを特徴とするスピーカ。
【請求項１０】
磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、
前記磁気回路は、前記磁気ギャップの内側に配置される内磁石と、前記磁気ギャップの外側に配置され、前記内磁石とは着磁方向が逆になる外磁石と、を備え、前記外磁石の外形は対向する直線部と対向する曲線部とで囲まれた形状であり、
前記外磁石の外形に対して部分的に切り欠き部を備え、
前記フレームの外形は対向する直線部と対向する曲線部とで囲まれた形状であり、
前記切り欠き部に対応する部分に通気孔を設けたことを特徴とするスピーカ。
【請求項１１】
前記内磁石の外形は、対向する直線部と対向する曲線部で囲まれた形状であり、前記外磁石は、前記直線部を除く曲線部に対向する部分を前記切り欠き部としたことを特徴とする請求項９又は１０に記載のスピーカ。
【請求項１２】
前記内磁石の外形は、対向する直線部と対向する曲線部とで囲まれた形状であり、前記外磁石は、前記直線部に対向する部分を前記切り欠き部としたことを特徴とする請求項９又は１０に記載のスピーカ。
【発明の詳細な説明】
【技術分野】
【０００１】
本発明は、スピーカ用磁気回路及びスピーカに関するものである。
【背景技術】
【０００２】
スピーカは、一般に、一定方向の磁界が形成される磁気ギャップを形成する磁気回路と、磁気ギャップ内を導電する音声電流によって生じる電磁気力（ローレンツ力）によって駆動される振動体と、磁気回路及び振動体を支持するフレームとを基本構成として備えている。磁気回路は、磁気ギャップの内側に永久磁石を配置したものを内磁型磁気回路と呼び、磁気ギャップの外側に永久磁石を配置したものを外磁型磁気回路と呼んでいる。また、小型電子機器搭載用のスピーカ等では、小型化，薄型化された永久磁石でも所望の駆動力（電磁気力）を得るために、磁気ギャップの内側及び外側に永久磁石を配置した磁気回路を採用する場合がある（例えば、下記特許文献１参照）。
【０００３】
図１は、この内外両側に永久磁石を配置した磁気回路の従来技術を示す説明図である（同図（ａ）が断面図、同図（ｂ）が平面図）。これによると、磁気回路Ｊは、筒状の外磁石Ｊ１、その内側に同心に位置する円筒状又は円柱状の内磁石Ｊ２、外磁石Ｊ１と内磁石Ｊ２の一方の面に密着してこれらを一体に保持する第１の磁性体Ｊ３（ヨーク）、外磁石Ｊ１の他方の面に密着する円環状の第２の磁性体Ｊ４（外プレート）、内磁石Ｊ２の他方の面に密着する円環状又は円形状の第３の磁性体Ｊ５（内プレート）からなり、第２の磁性体Ｊ４（外プレート）の内側面Ｊ４ａと第３の磁性体Ｊ５（内プレート）の外側面Ｊ５ａとの間に磁気ギャップＪＧが形成されている。外磁石Ｊ１と内磁石Ｊ２とは前述した内側面Ｊ４ａ或いは外側面Ｊ５ａに沿った方向で互いに逆方向に着磁した磁極を有している。
【０００４】
【特許文献１】実開昭５８−５９９号公報
【発明の開示】
【発明が解決しようとする課題】
【０００５】
磁気回路における磁気ギャップ内の磁束密度を全長で均一にするには、磁気ギャップが閉じた空間であることが必要であるため、磁気ギャップは平面視でリング状又は円環状に形成されることが多い。そして、このリング状の磁気ギャップを形成するためには、磁気回路は、平面視で円形の内プレートとその周囲を囲むように形成される円環状の外プレートとを備え、内プレートに対して平面視で円形又は円環状の内磁石が密着し、外プレートに対しては平面視で円環状の外磁石が密着するように構成される。
【０００６】
このような構成の磁気回路では、その外形が円形になっている。また、その磁気回路を支持するフレームを備えたスピーカも同様に、その外形が円形になっている。しかしながら、電子機器内にスピーカを設置した場合、円形の外形を有するスピーカでは曲面の外側にデッドスペースが形成されてしまい、電子機器内のスペースを有効活用できない問題が生じる。特に、携帯電話等の小型電子機器では、電子機器内のスペースを有効に活用することが重要な問題であり、スピーカ設置に伴うデッドスペースの有効活用が求められている。
【０００７】
また、小型電子機器へ搭載されるスピーカ等では、スピーカ全体の薄型化が求められており、それに伴って磁気回路を形成する磁石の薄型化が必要になっている。ところが、磁石を薄型化すると必然的にスピーカの駆動力が低下することになる。特に、磁気回路を覆うようにドーム型の振動板を設けるスピーカでは、磁気回路の外側で振動板に加わる背圧が振動板の振動に対する抵抗になり、薄型化された磁気回路の駆動力では十分な感度や音圧等の再生出力を得ることができない問題が生じる。
【０００８】
これに対する対処としては、磁気回路の外側に背圧を逃がす通気孔を形成することが考えられるが、磁気回路の外側に通気孔を形成するスペースを設けるとスピーカ外形の大型化を招き、設置スペースの少ない小型電子機器への搭載が困難になる問題が生じる。
【０００９】
本発明は、このような問題に対処することを課題の一例とするものである。すなわち、スピーカ設置に伴うデッドスペースを無くし、設置スペースの有効活用を図ること、薄型化された磁気回路であっても十分な感度や音圧等の再生出力を確保できること、スピーカ外形を大きくすることなく、効果的に振動板背圧を逃がす通気孔を設けること、等が本発明の目的である。
【課題を解決するための手段】
【００１０】
このような目的を達成するために、本発明によるスピーカ用磁気回路及びスピーカは、以下の各独立請求項に係る構成を少なくとも具備するものである。
【００１１】
［請求項１］ボイスコイルが配置される磁気ギャップを備え、前記磁気ギャップの内側に配置される内磁石と、前記磁気ギャップの外側に配置され、前記内磁石とは着磁方向が逆になる外磁石と、を備え、前記外磁石は矩形又は長円の外形を有することを特徴とするスピーカ用磁気回路。
【００１２】
［請求項２］ボイスコイルが配置される磁気ギャップを備え、前記磁気ギャップの内側に配置される内磁石と、前記磁気ギャップの外側に配置され、前記内磁石とは着磁方向が逆になる外磁石と、を備え、前記外磁石の外形は対向する直線部と対向する曲線部とで囲まれた形状であることを特徴とするスピーカ用磁気回路。
【００１３】
［請求項３］ボイスコイルが配置される磁気ギャップを備え、前記磁気ギャップの内側に配置される内磁石と、前記磁気ギャップの外側に配置され、前記内磁石とは着磁方向が逆になる外磁石と、を備え、前記外磁石は、矩形又は長円に対して部分的な切り欠き部を備える外形を有することを特徴とするスピーカ用磁気回路。
【００１４】
［請求項４］ボイスコイルが配置される磁気ギャップを備え、前記磁気ギャップの内側に配置される内磁石と、前記磁気ギャップの外側に配置され、前記内磁石とは着磁方向が逆になる外磁石と、を備え、前記外磁石の外形は対向する直線部と対向する曲線部とで囲まれた形状であり、該外形に対して部分的な切り欠き部を備えることを特徴とするスピーカ用磁気回路。
【００１５】
［請求項７］磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、前記磁気回路は、前記磁気ギャップの内側に配置される内磁石と、前記磁気ギャップの外側に配置され、前記内磁石とは着磁方向が逆になる外磁石と、を備え、前記外磁石及び前記フレームは、矩形又は長円の外形を有することを特徴とするスピーカ。
【００１６】
［請求項８］磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、前記磁気回路は、前記磁気ギャップの内側に配置される内磁石と、前記磁気ギャップの外側に配置され、前記内磁石とは着磁方向が逆になる外磁石と、を備え、前記外磁石及び前記フレームの外形は、対向する直線部と対向する曲線部とで囲まれた形状であることを特徴とするスピーカ。
【００１７】
［請求項９］磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、前記磁気回路は、前記磁気ギャップの内側に配置される内磁石と、前記磁気ギャップの外側に配置され、前記内磁石とは着磁方向が逆になる外磁石と、を備え、前記外磁石は、矩形又は長円に対して部分的な切り欠き部を備える外形を有し、前記フレームは、矩形の外形を有し、前記切り欠き部に対応する部分に通気孔を設けたことを特徴とするスピーカ。
【００１８】
［請求項１０］磁気ギャップを形成する磁気回路と、前記磁気ギャップ内に配置されるボイスコイルと、該ボイスコイルに作用する駆動力によって振動する振動体と、前記磁気回路の外周縁部と前記振動体の外周縁部とを支持するフレームとを備え、前記磁気回路は、前記磁気ギャップの内側に配置される内磁石と、前記磁気ギャップの外側に配置され、前記内磁石とは着磁方向が逆になる外磁石と、を備え、前記外磁石の外形は対向する直線部と対向する曲線部とで囲まれた形状であり、前記外磁石の外形に対して部分的に切り欠き部を備え、前記フレームの外形は対向する直線部と対向する曲線部とで囲まれた形状であり、前記切り欠き部に対応する部分に通気孔を設けたことを特徴とするスピーカ。
【発明を実施するための最良の形態】
【００１９】
以下、本発明の実施形態を図面に基づいて説明する。図２は本発明の一実施形態に係るスピーカ用磁気回路の全体構成を示す説明図であり、同図（ａ）は平面図、同図（ｂ）はＸ−Ｘ断面図である。なお、以後の説明では、スピーカが音を放射する方向を「前」又は「前方」とし、その逆方向を「後」又は「後方」として説明する。
【００２０】
磁気回路１０は、ボイスコイルが配置される磁気ギャップ１０Ｇを形成するものであり、磁気ギャップ１０Ｇの内側に配置される内磁石１１と、磁気ギャップ１０Ｇの外側に配置され、内磁石１１とは着磁方向が逆になる外磁石１２と、を備えている。詳しくは、内磁石１１と外磁石１２の後方面には一つのヨーク（磁性体）１３が密着しており、内磁石の１１の前方面には内プレート（磁性体）１４が、外磁石１２の前方面には外プレート（磁性体）１５がそれぞれ密着しており、内プレート１４の外側面１４ａと外プレート１５の内側面１５ａの間に磁気ギャップ１０Ｇが形成されている。
【００２１】
そして、この磁気回路１０では、外磁石１２が矩形の外形を有している。また、図示の例では、内磁石１１は対向する直線部と対向する曲線部とで囲まれた形状の外形を有している。ヨーク１３は、外磁石１２の外形に対応して、矩形の外形を有している。内プレート１４は、内磁石１１の外形に対応して、対向する直線部と対向する曲線部とで囲まれた形状の外形を有している。外プレート１５は、外磁石１２の外形に対応して矩形の外形を有しており、内プレート１４の外形を磁気ギャップ１０Ｇの幅だけ拡大させた形状を、その内縁としている。また、外磁石１２の内縁は、外プレート１５の内縁に対応する形状を有している。本発明の実施形態としては、内磁石１１及び内プレート１４の外形は、前述した例に限らず、例えば円形、長円、角が丸い正方形、角が丸い多角形等の他の形状であっても良い。
【００２２】
図３は、本発明の実施形態に係るスピーカを説明する説明図（断面図）である。スピーカ１は、前述又は後述する実施形態に係る磁気回路１０と、この磁気回路１０の磁気ギャップ１０Ｇ内に配置されるボイスコイル２と、ボイスコイル２に作用する駆動力によって振動する振動板３（ドーム型の振動板）と、磁気回路１０の外周縁部と振動板３の外周縁部とを支持するフレーム４とを備えている。フレーム４は矩形の外形を有しており、必要に応じて、フレーム４の外周部分を覆うようにグリルフレーム５が設けられている。
【００２３】
ここではボイスコイル２と振動板３とで振動体が形成され、振動板３は、中央ドーム部３ａと外周ドーム部３ｂとを備え、その中央ドーム部３ａと外周ドーム部３ｂとの間に設けられた凹状部３ｃにボイスコイル２が取り付けられており、磁気回路１０全体を覆うように配置されている。振動板３は、中央ドーム部３ａ，外周ドーム部３ｂ，凹状部３ｃを含めて一体成形することができる。フレーム４及びグリルフレーム５は、樹脂成形等によって形成することができ、フレーム４と磁気回路１０とはインサート成形等によって一体成形することもできる。
【００２４】
このような実施形態に係るスピーカ用磁気回路或いはスピーカによると、磁気回路１０の外磁石１２が矩形の外形を有するので、それに応じてスピーカ１全体の外形（フレーム４の外形）を矩形状にすることができ、電子機器等に搭載する際に、デッドスペース無くスピーカ１を設置することができる。この際、円形の外形を有する外磁石ではデッドスペースになっていた四隅の部分まで矩形状の外磁石１１を配置でき、有効なスペースとして活用できるので、同じ設置スペースを要する円形の外形を有する外磁石を備えた磁気回路に比べて、大きい駆動力の磁気回路を得ることができる。すなわち、スピーカ１としては、設置スペースを有効に活用して所望の感度や音圧等の再生出力を得ることができる。
【００２５】
図４は、本発明の他の実施形態に係るスピーカ用磁気回路及びスピーカを説明するための説明図である（同図（ａ）は磁気回路の平面図、同図（ｂ）はＸ−Ｘ断面図、同図（ｃ）はＹ−Ｙ断面図）。
【００２６】
この実施形態に係る磁気回路２０は、磁気ギャップ２０Ｇの内側に配置される内磁石２１と、磁気ギャップ２０Ｇの外側に配置され、内磁石２１とは着磁方向が逆になる外磁石２２と、を備え、外磁石２２は、矩形に対して部分的な切り欠き部（斜線部Ｓ1，Ｓ2）を備える外形を有している。
【００２７】
より具体的に説明すると、内磁石２１と外磁石２２の後方面には一つのヨーク（磁性体）２３が密着しており、内磁石の２１の前方面には内プレート（磁性体）２４が、外磁石２２の前方面には外プレート（磁性体）２５がそれぞれ密着しており、内プレート２４の外側面２４ａと外プレート２５の内側面２５ａの間に磁気ギャップ２０Ｇが形成されている。
【００２８】
そして、内磁石２１は対向する直線部と対向する曲線部とで囲まれた形状の外形を有している。内プレート２４も内磁石２１の外形に対応するように対向する直線部と対向する曲線部とで囲まれた形状の外形を有している。これに対して、外磁石２２は、破線で示した矩形に対して内磁石２１の曲線部に対応する部分が除かれた形状になっており、内磁石２１の直線部に対向する箇所のみに設けられている。また、外プレート２５は、外磁石２２に対応する外形を有している。ヨーク２３は、外磁石２２に対応した外形を有すると共に、内プレート２４の曲線部に対しては、内プレート２４の曲線部に沿って磁気ギャップ２０Ｇを形成する突出部２３ａを有している。
【００２９】
この実施形態に係る磁気回路２０及びこれを用いたスピーカ１（図３における磁気回路１０を磁気回路２０に換えたもの）では、外磁石２２を備えることで、内磁石のみの磁気回路に比べて大きい駆動力を得ることができる。図２に示した磁気回路１０と比較すると、切り欠き部によって外磁石２２の有効面積は小さくなるが、その切り欠き部に対応して、フレーム４に通気孔４Ａを形成する空きスペースができるので、スピーカ１の外形を変えることなく、振動板３の背圧を逃がす通気孔４Ａを形成することができる。ここでは、矩形状に形成されたフレーム４の四隅に通気孔４Ａを形成しているが、これに限らず、曲線状の突起部２３ａの外側に連続的に所定形状の通気孔４Ａを形成してもよい。この通気孔４Ａによって振動板３に作用する抵抗を小さくすることができるので、外磁石２２の面積が小さくなっても駆動力を維持することができ、所望の感度や音圧等の再生出力を得ることができる。ここでいう抵抗とは、振動板３が振動する際に受ける空気圧（空気抵抗とも言う）を指す。
【００３０】
ところで、特許文献１に記載されたような外磁石と内磁石の両方を備える磁気回路では、外磁石と内磁石の両方の表面積を併せると比較的大きな表面積を有しており、高温環境下にスピーカが曝された場合には、その表面から熱を受けて外磁石と内磁石が加熱されることになる。そして、特に薄厚の磁石を用いる場合には、加熱によって各磁石の磁力が低下する減磁現象が起こり易く、例えば、厚みのかなり小さい外磁石と内磁石とで磁気回路を形成したスピーカを１００℃以上の環境に置いた場合には、この減磁現象によってスピーカの駆動力が低下して所望の再生音を出力できなくなる問題が生じる。
【００３１】
本実施例における磁気回路では、その外磁石２２に切り欠き部（斜線部Ｓ1，Ｓ2）が形成されているため、スピーカ１内の温度が例えば100℃以上になった場合には、特許文献１に見られるような内磁石の周囲を囲むように配置される外磁石を有する磁気回路よりも、減磁現象が生じにくい。
【００３２】
つまり、外磁石２２に切り欠き部（斜線部Ｓ1，Ｓ2）が形成されているので、空気に触れる表面積が大きいこと、及び外磁石が有する面積が小さいことが要因となり、放熱しやすい形状になっている。よって、特許文献１に記載される磁気回路を有するスピーカよりも、本実施例に記載されるスピーカ１の方が、減磁現象が生じにくくなっている。
【００３３】
また、通気孔３Ａを設けることで、振動板３の振動により、スピーカ１内の空気と外部の冷たい空気とを入れ替えられるので、磁気回路２０内の温度が非常に高くなることを抑止することができ、減磁現象が発生することで駆動力が低下することを抑止することができる。
【００３４】
また、外部の空気を、通気孔３Ａを介してスピーカ１内に取り込むことで、磁気回路２０を構成する磁石、内プレート２４、外プレート２５やヨーク２３及び振動体を構成するボイスコイル２を冷却することもでき、長時間にわたってスピーカ１を使用しても音を再現良く再生することができる。
【００３５】
また、通気孔３Ａの大きさなどを変えることで、共振鋭度を所望の大きさにすることも可能となる。
【００３６】
図５は、本発明の他の実施形態に係るスピーカ用磁気回路及びスピーカを説明するための説明図である（同図（ａ）は磁気回路の平面図、同図（ｂ）はＸ−Ｘ断面図、同図（ｃ）はＹ−Ｙ断面図）。
【００３７】
この実施形態に係る磁気回路３０も前述の実施形態と同様に、磁気ギャップ３０Ｇの内側に配置される内磁石３１と、磁気ギャップ３０Ｇの外側に配置され、内磁石３１とは着磁方向が逆になる外磁石３２と、を備え、外磁石３２は、矩形に対して部分的な切り欠き部（斜線部Ｓ3，Ｓ4）を備える外形を有している。
【００３８】
より具体的に説明すると、内磁石３１と外磁石３２の後方面には一つのヨーク（磁性体）３３が密着しており、内磁石の３１の前方面には内プレート（磁性体）３４が、外磁石３２の前方面には外プレート（磁性体）３５がそれぞれ密着しており、内プレート３４の外側面３４ａと外プレート３５の内側面３５ａの間に磁気ギャップ３０Ｇが形成されている。
【００３９】
そして、内磁石３１は対向する直線部と対向する曲線部とで囲まれた形状の外形を有している。内プレート３４も内磁石３１の外形に対応するように対向する直線部と対向する曲線部とで囲まれた形状の外形を有している。これに対して、外磁石３２は、破線で示した矩形に対して内磁石３１の直線部に対応する部分が除かれた形状になっており、内磁石３１の曲線部に対向する部分のみに設けられている。また、外プレート３５は、外磁石３２に対応する外形を有している。ヨーク３３は、外磁石３２に対応した外形を有すると共に、内プレート３４の直線部に沿って磁気ギャップ３０Ｇを形成する突出部３３ａを有している。
【００４０】
この実施形態に係る磁気回路３０及びこれを用いたスピーカ１（図３における磁気回路１０を磁気回路３０に換えたもの）では、外磁石３２を備えることで、内磁石のみの磁気回路に比べて大きい駆動力を得ることができる。図２に示した磁気回路１０と比較すると、切り欠き部によって外磁石３２の有効面積は小さくなるが、その切り欠き部に対応して、フレーム４に通気孔４Ａを形成する空きスペースができるので、スピーカ１の外形を変えることなく、振動板３の背圧を逃がす通気孔４Ａを形成することができる。この通気孔４Ａによって振動板３に作用する抵抗を小さくすることができるので、外磁石３２の面積が小さくなっても駆動力を維持することができ、所望の感度や音圧等の再生出力を得ることができる。
【００４１】
また、図４に示される他の実施例と同様に、減磁現象によるスピーカ１の駆動力が低下することを抑止できること、長時間にわたってスピーカ１を使用しても音を再現良く再生すること、通気孔３Ａの大きさなどを変えることで共振鋭度を所望の大きさにすることができる。
【００４２】
図６は、本発明の他の実施形態に係るスピーカ用磁気回路及びスピーカを説明するための説明図である（同図（ａ）は磁気回路の平面図、同図（ｂ）はＸ−Ｘ断面図）。
【００４３】
この実施形態に係る磁気回路４０も前述した実施形態と同様に、磁気ギャップ４０Ｇの内側に配置される内磁石４１と、磁気ギャップ４０Ｇの外側に配置され、内磁石４１とは着磁方向が逆になる外磁石４２と、を備え、外磁石４２は、矩形に対して部分的な切り欠き部（斜線部Ｓ5，Ｓ6，Ｓ7，Ｓ8）を備える外形を有している。
【００４４】
より具体的に説明すると、内磁石４１と外磁石４２の後方面には一つのヨーク（磁性体）４３が密着しており、内磁石の４１の前方面には内プレート（磁性体）４４が、外磁石４２の前方面には外プレート（磁性体）４５がそれぞれ密着しており、内プレート４４の外側面４４ａと外プレート４５の内側面４５ａの間に磁気ギャップ４０Ｇが形成されている。
【００４５】
そして、内磁石４１は対向する直線部と対向する曲線部とで囲まれた形状の外形を有している。内プレート４４も内磁石４１の外形に対応するように対向する直線部と対向する曲線部とで囲まれた形状の外形を有している。これに対して、外磁石４２は、破線で示した矩形に対して四隅に対応する部分が除かれた形状になっている。また、外プレート４５は、外磁石４２に対応する外形を有している。ヨーク４３は、外磁石４２に対応した外形を有している。
【００４６】
この実施形態に係る磁気回路４０及びこれを用いたスピーカ１（図３における磁気回路１０を磁気回路４０に換えたもの）では、外磁石４２を備えることで、内磁石のみの磁気回路に比べて大きい駆動力を得ることができる。図２に示した磁気回路１０と比較すると、切り欠き部によって外磁石４２の有効面積は小さくなるが、その切り欠き部に対応して、フレーム４に通気孔４Ａを形成する空きスペースができるので、スピーカ１の外形を変えることなく、振動板３の背圧を逃がす通気孔４Ａを形成することができる。この通気孔４Ａによって振動板３に作用する抵抗を小さくすることができるので、外磁石４２の面積が小さくなったとしても、駆動力を維持することができ、所望の感度や音圧等の再生出力を得ることができる。
【００４７】
また、図４に示される他の実施例と同様に、減磁現象によるスピーカ１の駆動力が低下することを抑止できること、長時間にわたってスピーカ１を使用しても音を再現良く再生すること、通気孔３Ａの大きさなどを変えることで共振鋭度を所望の大きさにすることができる。
【００４８】
図７〜図１２は、本発明の他の実施形態（前述した実施形態の変形例）に係るスピーカ用磁気回路及びスピーカを説明するための説明図（磁気回路の平面図、前述の説明と同等の箇所には同一符号を付して重複説明を省略する）である。
【００４９】
図７に示した本発明の実施形態は、図２に示した実施形態の外磁石１２及び外プレート１５の外形を長円にしたものである。
【００５０】
図８に示した本発明の実施形態は、図２に示した実施形態の外磁石１２及び外プレート１５の外形を、対向する直線部と対向する曲線部とで囲まれた形状にしたものである。
【００５１】
図９に示した本発明の実施形態は、図４に示した実施形態の変形例であり、外磁石２２の外形が、対向する直線部と対向する曲線部とで囲まれた形状に対して内磁石２１の曲線部に対応する部分が除かれた形状になっており、外磁石２２が内磁石２１の直線部に対向する箇所のみに設けられている。また、外プレート２５は、外磁石２２に対応する外形を有している。ヨーク２３は、外磁石２２に対応した外形を有すると共に、内プレート２４の曲線部に対しては、内プレート２４の曲線部に沿って磁気ギャップ２０Ｇを形成する突出部２３ａを有している。
【００５２】
図１０に示した本発明の実施形態は、図４に示した実施形態の変形例であり、外磁石２２の外形が、長円に対して内磁石２１の曲線部に対応する部分が除かれた形状になっており、外磁石２２が内磁石２１の直線部に対向する箇所のみに設けられている。また、外プレート２５は、外磁石２２に対応する外形を有している。ヨーク２３は、外磁石２２に対応した外形を有すると共に、内プレート２４の曲線部に対しては、内プレート２４の曲線部に沿って磁気ギャップ２０Ｇを形成する突出部２３ａを有している。
【００５３】
図１１に示した本発明の実施形態は、図５に示した実施形態の変形例であり、外磁石３２の外形が、対向する直線部と対向する曲線部とで囲まれた形状に対して内磁石３１の直線部に対応する部分が除かれた形状になっており、外磁石３２が内磁石３１の曲線部に対向する箇所のみに設けられている。また、外プレート３５は、外磁石３２に対応する外形を有している。ヨーク３３は、外磁石３２に対応した外形を有すると共に、内プレート３４の直線部に対しては、内プレート３４の直線部に沿って磁気ギャップ３０Ｇを形成する突出部３３ａを有している。
【００５４】
図１２に示した本発明の実施形態は、図５に示した実施形態の変形例であり、外磁石３２の外形が、長円に対して内磁石３１の直線部に対応する部分が除かれた形状になっており、外磁石３２が内磁石３１の曲線部に対向する箇所のみに設けられている。また、外プレート３５は、外磁石３２に対応する外形を有している。ヨーク３３は、外磁石３２に対応した外形を有すると共に、内プレート３４の直線部に対しては、内プレート３４の直線部に沿って磁気ギャップ３０Ｇを形成する突出部３３ａを有している。
【００５５】
すなわち、図７〜図１１に示されるような実施形態では、外磁石や外プレートの外形が長円又は対向する曲線部と対向する直線部で囲まれた形状にしている。
【００５６】
ところで、電子機器内にスピーカを設置するスペースは、当初より電子機器の設計によって予め決められている場合が多い。例えば、該スペースが長円状である場合には、円形の外形を有するスピーカでは、その円形の直径を長円状の設置スペースの短軸方向の幅に合わせる必要があり、結果として長軸方向においてデッドスペースが生じることになる。このような問題に対し、図７〜図１１に示されるような外磁石や外プレートの外形が長円又は対向する直線部と対向する曲線部とで囲まれた形状を有するスピーカであれば、前述したデッドスペースを有効に活用することができ、前述した図２〜図６に示される実施形態と同様に、所望の感度や音圧等の再生出力を得ることができる。また、デッドスペースに通気孔を形成することができるので、スピーカの駆動力の維持、減磁現象の抑制などが可能になる。
【００５７】
以上説明したように、本発明の実施形態に係るスピーカ用磁気回路及びスピーカによると、スピーカ設置に伴うデッドスペースを無くし、設置スペースの有効活用を図ることができる。また、薄型化された磁気回路であっても有効な再生出力を確保できることができる。更には、スピーカ外形を大きくすることなく、効果的に振動板背圧を逃がす通気孔を設けることができる。
【図面の簡単な説明】
【００５８】
【図１】従来技術の説明図である。
【図２】本発明の一実施形態に係るスピーカ用磁気回路の全体構成を示す説明図であり、同図（ａ）は平面図、同図（ｂ）はＸ−Ｘ断面図である。
【図３】本発明の実施形態に係るスピーカを説明する説明図（断面図）である。
【図４】本発明の他の実施形態に係るスピーカ用磁気回路及びスピーカを説明するための説明図である（同図（ａ）は磁気回路の平面図、同図（ｂ）はＸ−Ｘ断面図、同図（ｃ）はＹ−Ｙ断面図）。
【図５】本発明の他の実施形態に係るスピーカ用磁気回路及びスピーカを説明するための説明図である（同図（ａ）は磁気回路の平面図、同図（ｂ）はＸ−Ｘ断面図、同図（ｃ）はＹ−Ｙ断面図）。
【図６】本発明の他の実施形態に係るスピーカ用磁気回路及びスピーカを説明するための説明図である（同図（ａ）は磁気回路の平面図、同図（ｂ）はＸ−Ｘ断面図）。
【図７】本発明の他の実施形態（変形例）に係るスピーカ用磁気回路及びスピーカを説明するための説明図（磁気回路の平面図）である。
【図８】本発明の他の実施形態（変形例）に係るスピーカ用磁気回路及びスピーカを説明するための説明図（磁気回路の平面図）である。
【図９】本発明の他の実施形態（変形例）に係るスピーカ用磁気回路及びスピーカを説明するための説明図（磁気回路の平面図）である。
【図１０】本発明の他の実施形態（変形例）に係るスピーカ用磁気回路及びスピーカを説明するための説明図（磁気回路の平面図）である。
【図１１】本発明の他の実施形態（変形例）に係るスピーカ用磁気回路及びスピーカを説明するための説明図（磁気回路の平面図）である。
【図１２】本発明の他の実施形態（変形例）に係るスピーカ用磁気回路及びスピーカを説明するための説明図（磁気回路の平面図）である。
【符号の説明】
【００５９】
１    スピーカ
２    ボイスコイル
３    振動板
４    フレーム
４Ａ    通気孔
５    グリルフレーム
１０、２０，３０，４０    磁気回路
１０Ｇ，２０Ｇ，３０Ｇ，４０Ｇ    磁気ギャップ
１１，２１，３１，４１    内磁石
１２，２２，３２，４２    外磁石
１３，２３，３３，４３    ヨーク
１４，２４，３４，４４    内プレート
１５，２５，３５，４５    外プレート
【図１】
2008148218.tif 000003
【図２】
2008148218.tif 000004
【図３】
2008148218.tif 000005
【図４】
2008148218.tif 000006
【図５】
2008148218.tif 000007
【図６】
2008148218.tif 000008
【図７】
2008148218.tif 000009
【図８】
2008148218.tif 000010
【図９】
2008148218.tif 000011
【図１０】
2008148218.tif 000012
【図１１】
2008148218.tif 000013
【図１２】
2008148218.tif 000014